(57)【要約】【課題】容器からの着脱が簡単に行えず、首掛け部の周囲を熱融着等する必要のない金属缶専用の首掛け袋を提供すること。【解決手段】首掛け部（１１）と物品収納部（１２）がシール部（１４）を介して一体に形成された首掛け袋（１０）であって、１枚又は２枚の伸縮性のプラスチックフィルムを重ねて周縁の未シール部をシールして形成され、かつ、首掛け部（１１）の中央には、缶上端部の直径より若干小さめの直径の開孔（１３）が穿設されている。プラスチックフィルムとしてはポリプロピレンフィルムが好ましい。【選択図】図１
2004175410.tif 000002
【特許請求の範囲】
【請求項１】
首掛け部と物品収納部とから成る缶専用首掛け袋であって、前記首掛け部には、缶上端部の直径よりも若干小さい直径の開孔が穿設されていることを特徴とする、缶専用首掛け袋。
【請求項２】
前記首掛け部は、伸縮性のプラスチックフィルムから成ることを特徴とする、請求項１記載の缶専用首掛け袋。
【請求項３】
前記首掛け部と物品収納部とは一体であり、１枚又は２枚のプラスチックフィルムを重ねて、周縁の未シール部分をシールしたものであることを特徴とする、請求項１又は２記載の缶専用首掛け袋。
【請求項４】
前記首掛け部と物品収納部との境界は、シール部により仕切られていることを特徴とする、請求項１、２又は３記載の缶専用首掛け袋。
【請求項５】
首掛け部と物品収納部とがシール部を介して一体に形成された首掛け袋であって、前記首掛け袋は、１枚又は２枚の伸縮性のプラスチックフィルムを重ねて、周縁の未シール部分をシールして形成され、かつ、前記首掛け部には、缶上端部の直径より若干小さい直径の開孔が穿設されていることを特徴とする、缶専用首掛け袋。
【発明の詳細な説明】
【０００１】
【発明の属する技術分野】
本発明は、宣伝、広告用として特に金属缶の胴部に取り付けて使用する缶専用の首掛け袋に関するものである。
【０００２】
【従来の技術】
従来、宣伝、広告用として、ガラスびんやペットボトル等のプラスチックボトルの首部につり下げるようにして使用する試供品やクーポン券などを収納した包装袋としては、例えば、図４（ａ）、（ｂ）に示すように、内面接着性を有する包材（３３）を重ね合わせ、一部に熱接着により物品収納部（３６）を形成すると共に、該収納部（３６）に隣接して周囲に複数のＵ字状切欠部（３７）を有する係止用抜穴部（３８）を形成し、少なくともＵ字状切欠部（３７）と係止用抜穴部（３８）とを包括する補強熱接着部（３９）を形成してなる包装袋としたものがある（特許文献１参照）。
【０００３】
【特許文献１】
実開昭５６−１００３６号公報
【０００４】
しかしながら係止用抜穴部（３８）の径は容器（４１）のキャップ（４２）の径よりも大きく（小さくするという思想はない）、従って、容器（４１）からの着脱が片手で容易にできるという利点がある反面、悪意のある人が簡単に持ち去ることができるという問題がある。
また、係止用抜穴部（３８）の周囲を熱接着して、補強熱接着部（３９）を形成する工程が必要で手間がかかるという問題もある。
【０００５】
【発明が解決しようとする課題】
本発明は、ガラスびんやペットボトル等のプラスチックボトルの首部につり下げるようにして取り付ける試供品やクーポン券などを収納した包装袋の以上のような問題点を解決し、これまで使用されたことのない、ビール、発泡酒、清酒のようなアルコール飲料やコーラやジュースのような清涼飲料水の容器に使用されている金属缶専用に使用可能な包装袋を提供することを課題とする。
【０００６】
【課題を解決するための手段】
本発明の請求項１の発明は、首掛け部と物品収納部とから成る缶専用首掛け袋であって、前記首掛け部には、缶上端部の直径よりも若干小さい直径の開孔が穿設されていることを特徴とする、缶専用首掛け袋である。
【０００７】
このように請求項１記載の発明によれば、首掛け部には、缶上端部の直径よりも若干小さい直径の開孔が穿設されているので、缶への取付けが容易で、取り付けた後は外れ難い。
特に、缶は通常上端は缶蓋が缶胴部に巻き締めにより固定されているため、上端の径が胴部の径よりも若干大きくなっている。従って、取り付ける際に首掛け部の開孔が缶上端さえ通過すれば缶を逆さまにしても首掛け袋が缶から落下する恐れがなく固定される。
【０００８】
また、請求項２の発明は、請求項１の発明において、前記首掛け袋を構成する少なくとも首掛け部は、伸縮性のプラスチックフィルムから成ることを特徴とする、缶専用首掛け袋である。
【０００９】
このように請求項２記載の発明によれば、首掛け袋を構成する少なくとも首掛け部は、伸縮性のプラスチックフィルムから成るので、缶への取付け時にフィルムが延びて、缶への取付けが容易に行え、また、延伸効果によりわざわざ開孔の周囲を熱接着等して補強する必要がない。
【００１０】
また、請求項３の発明は、請求項１又は２の発明において、前記首掛け部と物品収納部とは一体であり、１枚又は２枚のプラスチックフィルムを重ねて、周縁をシールしたものであることを特徴とする、缶専用首掛け袋である。
【００１１】
このように請求項３記載の発明によれば、首掛け部と物品収納部とは一体であり、１枚又は２枚のプラスチックフィルムを重ねて、周縁をシールしたものなので、物品収納部を容易に形成でき、また、首掛け部の強度を補強することができる。
【００１２】
また、請求項４の発明は、請求項１、２又は３の発明において、前記首掛け部と物品収納部との境界は、シール部により仕切られていることを特徴とする、缶専用首掛け袋である。
【００１３】
このように請求項４記載の発明によれば、首掛け部と物品収納部との境界は、シール部により仕切られているので、物品収納部を容易に袋状にすることができる。
【００１４】
また、請求項５の発明は、首掛け部と物品収納部とがシール部を介して一体に形成された首掛け袋であって、前記首掛け袋は、１枚又は２枚の伸縮性のプラスチックフィルムを重ねて、周縁の未シール部分をシールして形成され、かつ、前記首掛け部には、缶上端部の直径より若干小さい直径の開孔が穿設されていることを特徴とする、缶専用首掛け袋である。
【００１５】
【発明の実施の形態】
本発明の缶専用首掛け袋を一実施形態に基づいて以下に詳細に説明する。
本発明の缶専用首掛け袋（１０）は、例えば図１、図２に示すように、首掛け部（１１）と物品収納部（１２）とから成り、この首掛け部（１１）には、缶上端部（２１）の直径（Ｋ）よりも若干小さい直径（Ｆ）の開孔（１３）が穿設されている。
また、首掛け部（１１）と物品収納部（１２）との境界は、シール部（１４）により仕切られている。
【００１６】
首掛け袋（１０）は、１枚又は２枚のプラスチックフィルムを重ね合わせて周縁の未シール部分を溶断シール、インパルスシール等の一般的に公知のシール方法によりシールして得られる。
なお、物品収納部（１２）のシール部（１４）が形成されていない方の端縁は当初は開放されており、キャンペーン宣伝物、試供品等の収納物（１６）を収納した後、粘着剤、シール等任意の方法で閉鎖する。
【００１７】
具体的には、例えば、物品収納部（１２）のシール部（１４）が形成されていない方の端縁の一方を延長して折り返し封止部（１５）を形成させ、この折り返し封止部（１５）の内側に粘着剤を塗布しておき、物品収納部（１２）に収納物（１６）を収納後、折り返し封止部（１５）を折り返してもう一方のフィルムに重ねて封止する。
再封止可能な粘着剤を使用することにより物品収納部（１２）は必要に応じて何回も開閉が可能になる。
【００１８】
使用するプラスチックフィルムは、伸縮性があり、かつ、透明性に優れたプラスチックフィルムが好ましく、具体的には、コスト面等も考慮すると、厚さが２０〜６０μｍ程度のポリプロピレンフィルムがさらに好適に使用できる。
また、必要に応じて静電防止剤等の添加物を加えたフィルムを使用することができる。
【００１９】
つぎに、このようにして作製した首掛け袋（１０）の缶（２０）への取付け方法について詳述する。
首掛け袋（１０）の首掛け部（１１）を持ち、取付けようとする缶の上端部に被せるように嵌め込む。
すなわち、先ず、▲１▼開孔（１３）の一部を缶の上端部に掛ける。次いで、▲２▼掛けた首掛け袋（１０）の反対方向に両端を持って引っ張る（延伸）。最後に、▲３▼持った両端を下方に降ろし缶の上端部に掛け、開孔（１３）を缶上端部（２１）に完全に通す（図３参照）。
【００２０】
具体的には、例えば、缶の上端部の直径が５９ｍｍの場合、幅；８０ｍｍ、長さ；７０ｍｍの首掛け袋の略中央に直径；５５ｍｍの円を穿設して開孔（１３）とした。
伸縮性のあるプラスチックフィルムを使用しているため、首掛け袋（１０）を缶（２０）の上端部（２１）に容易に取り付けることができる。
一度取り付けられた首掛け袋（１０）は、缶を逆さまにしても容易に落ちることがない。
【００２１】
【発明の効果】
上記のように、本発明の缶専用首掛け袋は、プラスチックフィルムが伸びる特性を生かして首掛け部分の開孔の直径を金属缶の上端部の直径より小さくすることで、「パチッ」と嵌め込むことにより簡単に外れない首掛け袋となった。
【００２２】
従って、片手での着脱ができないため、悪意のある人が持ち去るのを防止できると共に、取り付ける際の延伸効果により開孔周辺の強度が増すので、従来のように別工程で熱可塑性樹脂接着する等の補強をする必要がなく、それでいてカールやしわなども発生しないので見栄えが悪くならない。
【図面の簡単な説明】
【図１】
本発明の缶専用首掛け袋の一実施例を示す、平面説明図である。
【図２】
本発明の缶専用首掛け袋を缶に取り付けた使用状態の一実施例を示す、斜視説明図である。
【図３】
本発明の缶専用首掛け袋を取り付ける手順を示す、斜視説明図である。
【図４】
従来の首掛け袋の一例を示す、（ａ）は平面説明図であり、（ｂ）は使用状態の斜視説明図である。
【符号の説明】
１０‥‥首掛け袋
１１‥‥首掛け部
１２‥‥物品収納部
１３‥‥開孔
１４‥‥シール部
１５‥‥折り返し封止部
１６‥‥収納物品
２０‥‥金属缶
２１‥‥上端部
３３‥‥包材
３６‥‥物品収納部
３７‥‥Ｕ字状切欠部
３８‥‥係止用抜穴部
３９‥‥補強熱接着部
４１‥‥容器
４２‥‥キャップ
【図１】
2004175410.tif 000003
【図２】
2004175410.tif 000004
【図３】
2004175410.tif 000005
【図４】
2004175410.tif 000006